(57)【要約】  柄（３）を介してハンドルと連結されているアプリケータ機構（２）からなるアプリケータ（１）を備え、貯蔵化粧品を収容する化粧品貯蔵容器を備え、かつ、掻き落とし器を備えた化粧品ユニットであって、アプリケータ機構（２）は、その準備位置では化粧品貯蔵部中に浸され、その際、アプリケータ（１）のハンドルが化粧品貯蔵容器を密閉閉鎖するように、ハンドルは化粧品貯蔵容器上に保持され、かつ、アプリケータ機構（２）が掻き落とし器を通って化粧品貯蔵容器から引き出されることにより、アプリケータ（１）がその使用位置に運ばれることができる、化粧品ユニットにおいて、アプリケータ機構（２）はフロック加工部を担持する中央領域（６）を有し、フロック加工部を担持する中央領域（６）は、アプリケータ機構（２）の周囲に取り付けられていて、アプリケータ機構（２）を好ましくは１８０°未満の周囲角度に渡って取り囲み、フロック加工部を担持する中央領域は、外側に向かって凸型に膨らんでいて、かつ、中央領域（６）は、その４つの縁の少なくとも３つで、少なくとも１つのブラシ毛列（７）により、好ましくは完全に縁取られている、化粧品ユニット。
2019519314.tif 000002
【特許請求の範囲】
【請求項１】
柄（３）を介してハンドルと連結されているアプリケータ機構（２）からなるアプリケータ（１）を備え、貯蔵化粧品を収容する化粧品貯蔵容器を備え、かつ、掻き落とし器を備えた化粧品ユニットであって、前記アプリケータ機構（２）は、その準備位置では前記化粧品貯蔵部中に浸され、その際、前記アプリケータ（１）の前記ハンドルが前記化粧品貯蔵容器を密閉閉鎖するように、前記ハンドルは前記化粧品貯蔵容器上に保持され、かつ、前記アプリケータ機構（２）が前記掻き落とし器を通って前記化粧品貯蔵容器から引き出されることにより、前記アプリケータ（１）がその使用位置に運ばれることができる、化粧品ユニットにおいて、前記アプリケータ機構（２）はフロック加工部を担持する中央領域（６）を有し、前記フロック加工部を担持する前記中央領域（６）は、前記アプリケータ機構（２）の周囲に取り付けられていて、前記アプリケータ機構（２）を好ましくは１８０°未満の周囲角度に渡って取り囲み、前記フロック加工部を担持する前記中央領域は、外側に向かって凸型に膨らんでいて、かつ、前記中央領域（６）は、その４つの縁の少なくとも３つで、少なくとも１つのブラシ毛列（７）により、好ましくは完全に縁取られていることを特徴とする、化粧品ユニット。
【請求項２】
前記少なくとも１つのブラシ毛列（７）は、Ｕ字型またはＶ字型の幾何学形状を有し、前記ブラシ毛（８）は、好ましくは前記ＵまたはＶの自由端に向かって、継続的により短くなるように造形されていることを特徴とする、請求項２に記載の化粧品ユニット。
【請求項３】
前記フロック加工部を担持する前記中央領域（６）は、４つ全ての縁で、少なくとも１つのブラシ毛列（７）により縁取られていることを特徴とする、請求項１に記載の化粧品ユニット。
【請求項４】
前記アプリケータ機構（２）は棒状の幾何学形状を有することを特徴とする、請求項１〜３のいずれか１項に記載の化粧品ユニット。
【請求項５】
前記アプリケータ機構（２）の縦軸（Ｌ）は、前記柄（３）の縦軸（Ｌ）と位置合わせされて、これに続いていて、かつ湾曲していることを特徴とする、請求項４に記載の化粧品ユニット。
【請求項６】
前記アプリケータ機構（２）は、１つの側面で平らにされていて、そこで前記フロック加工部を担持する前記中央領域（６）を形成し、かつ、縁取りするブラシ毛（８）を担持する一方、前記中央領域（６）とは逆側の、前記アプリケータ機構（２）の背部は、周囲方向で凸型に形成されていることを特徴とする、請求項１〜５のいずれか１項に記載の化粧品ユニット。
【請求項７】
前記アプリケータ機構（２）は、その末端で半球冠（１２）好ましくは半球球冠を形成し、前記半球冠好ましくは半球球冠は、平らにされた前記中央領域（６）に続き、かつ前記アプリケータ機構（２）の末端を形成することを特徴とする、請求項１〜６のいずれか１項に記載の化粧品ユニット。
【請求項８】
前記ブラシ毛（８）の直径は０．０１ｍｍ〜０．５ｍｍであることを特徴とする、請求項１〜７のいずれか１項に記載の化粧品ユニット。
【請求項９】
前記ブラシ毛（８）は、一体的にかつ好ましくは同じ材料で、前記アプリケータ機構（２）に射出されていることを特徴とする、請求項１〜８のいずれか１項に記載の化粧品ユニット。
【請求項１０】
前記ブラシ毛（８）は、ブラシ毛根元から自由ブラシ毛端に向かって、好ましくは円錐形状で先細りすることを特徴とする、請求項１〜９のいずれか１項に記載の化粧品ユニット。
【請求項１１】
前記ブラシ毛（８）の長さは概ね１．５ｍｍを上回ることを特徴とする、請求項１〜１０のいずれか１項に記載の化粧品ユニット。
【請求項１２】
直接隣接するブラシ毛（８）同士は、その（妨げられない）ブラシ毛根元の領域中で、前記ブラシ毛根元の直径の１．５倍を上回る距離で互いから離れていることを特徴とする、請求項１〜１１のいずれか１項に記載の化粧品ユニット。
【請求項１３】
前記中央領域は、周囲方向で見ると、その自由表面の前記縦軸（Ｌ）に対する曲率半径が、周囲方向で見た、前記中央領域の前記自由表面の両側で続く表面の、前記縦軸（Ｌ）に対する曲率半径よりも小さいことを特徴とする、請求項１〜１２のいずれか１項に記載の化粧品ユニット。
【請求項１４】
周囲方向で見ると、前記中央領域の表面と、前記フロック加工されていないアプリケータ体の続く表面との間にある移行部において、周囲方向に沿って見ると、直径が拡大し、ないし直径の飛躍が形成されていることを特徴とする、請求項１３に記載の化粧品ユニット。
【請求項１５】
周囲方向で見ると、前記中央領域の前記表面と、前記フロック加工されていないアプリケータ体の続く表面との間にある移行部において、段が形成されていて、前記ブラシ毛（８）は、好ましくは全て当該段上に立てられていることを特徴とする、請求項１３または１４に記載の化粧品ユニット。
【請求項１６】
請求項１〜１５のいずれか１項に記載の化粧品ユニット中で使用するための化粧品アプリケータ（１）であって、柄（３）を介してハンドルと連結可能であるアプリケータ機構（２）を有し、前記アプリケータ機構（２）はフロック加工部を担持する中央領域（６）を有し、かつ、前記中央領域（６）は少なくとも部分的に少なくとも１つのブラシ毛列（７）により縁取られていることを特徴とする、化粧品アプリケータ（１）。
【請求項１７】
前記化粧品アプリケータ（１）は、請求項２〜１８のいずれか１項に記載のアプリケータ（１）に関するさらなる特徴を有することを特徴とする請求項１６に記載の化粧品アプリケータ（１）。
【請求項１８】
前記化粧品アプリケータ（１）は、化粧品を眉毛に塗布するために採用されることを特徴とする、請求項１６または１７に記載の化粧品アプリケータ（１）。
【発明の詳細な説明】
【技術分野】
【０００１】
本発明は、請求項１の前提部に記載の化粧品アプリケータに関する。
【０００２】
本発明によるアプリケータの特別な採用分野は、眉毛上、まつ毛上、および唇上への化粧品の塗布である。
【背景技術】
【０００３】
この目的のために、様々なタイプのアプリケータがすでに提案されている。
【発明の概要】
【発明が解決しようとする課題】
【０００４】
これに対して、本発明の課題は、迅速に多量の化粧品を塗布することができ、それにもかかわらず、輪郭がシャープである塗布が可能であるアプリケータを提示することである。
【課題を解決するための手段】
【０００５】
この課題の解決は、柄を介してハンドルと連結されているアプリケータ機構からなるアプリケータを備え、貯蔵化粧品を収容する化粧品貯蔵容器を備え、かつ、掻き落とし器を備えた化粧品ユニットにより行われる。
【０００６】
このアプリケータ機構は、その準備位置では化粧品貯蔵部中に浸される。この際、アプリケータのハンドルが化粧品貯蔵容器を密閉閉鎖するように、ハンドルはその準備位置では化粧品貯蔵容器上に保持される。アプリケータ機構が掻き落とし器を通って化粧品貯蔵容器から引き出されることにより、アプリケータがその使用位置に運ばれることができる。本発明のアプリケータは、アプリケータ機構がフロック加工部を担持する中央領域を形成する点が際立っている。中央領域は少なくとも部分的に少なくとも１つのブラシ毛列により縁取られている。
【０００７】
このフロック加工部は、著しい量の化粧品を蓄えることができ、眉毛に近づき、そこでまたこれを放出する。それにもかかわらず、本発明によるアプリケータでは、輪郭が非常にシャープな化粧品の塗布が可能であるが、この理由は、フロック加工部を備えた中央領域が、ブラシ毛列で縁取られ、このブラシ毛が分離部として機能し、フロック加工部中に蓄えられた化粧品が意図せず側方から出るのを防ぎないし低減するからである。
【０００８】
フロック加工部を担持する中央領域は、アプリケータ機構の周囲に取り付けられている。この中央領域は、アプリケータ機構を好ましくは１８０°未満の周囲角度に渡って取り囲む。この際、フロック加工部を担持する中央領域は、外側に向かって凸型に膨らんでいて、かつ、その４つの縁の少なくとも３つで、少なくとも１つのブラシ毛列により、好ましくは完全に縁取られている。ブラシ毛は、この段階では蓄えられた組成物を側方から支持し、蓄えられた組成物が、これに続いて制御が効かない滴下により滑り落ちるのに対抗する。第３のブラシ毛列は、掻き落とし方向に対して横断方向にあり、過剰な掻き落としを防ぐ。
【０００９】
このようにして、中央領域は、著しい量の化粧品組成物を、容易に利用可能な方法で蓄えることができる。この中央領域の特別な構成に基づき、処理されるべき主要な部分に渡ってすでに密に蓄えられた組成物を、ブラシ毛の領域中で利用可能になるべく回収するためには、アプリケータを、処理されるべき主要な部分にもう少し密接するように近づけるのみで十分であり、その結果、蓄えられた組成物が主に接触する。この場合、アプリケータはわずかに回転し、その結果、蓄えられた組成物の一部分は、ブラシ毛で縁を付けられた領域中に達する。
【００１０】
この際にきわめて好都合であるのは、ブラシ毛列が、追加的に櫛梳きのためにも用いられることができ、場合によっては。塗布および櫛梳きを１工程で行うことができるという点である。
【００１１】
特に好適な構成形態
特に好都合であると明らかになったのは、フロック加工部を備えた中央領域を、周囲でブラシ毛列により縁取りすることである。
【００１２】
理想的な場合、縁取りするブラシ毛列は、列になって連続して立てられたブラシ毛が一列のみ存在するように実施されている。
【００１３】
好適には、フロック加工部を担持する中央領域の表面は、外側に向かって凸型に膨らんでいる。これにより、中央領域はクッション状の幾何学形状を有する。これに伴って、しばしば、中央領域がより柔らかいプラスチックからなり、ブラシ毛はこれと比較してより硬いプラスチックからなる。
【００１４】
ブラシ毛は、通常射出されたブラシ毛であるが、なぜならば、この種のブラシ毛は一本ずつ繰り返し可能に精確に位置付けられ、これにより、その課題のために特に強化されうるからである。
【００１５】
本発明のさらなる構成可能性、利点および作用は、様々な実施形態についての図に基づく後続の詳しい説明から明らかになる。
【図面の簡単な説明】
【００１６】
【図１】本発明によるアプリケータの第１実施形態を側方から見た斜視図である。
【図２】本発明によるアプリケータの第２実施形態を側方から見た斜視図である。
【図２ａ】図２に相当するが、柄への移行部の領域中に変形があるアプリケータを示す図である。
【図３】本発明によるアプリケータの第３実施形態を側方から見た斜視図である。
【図４】本発明によるアプリケータの第４実施形態を側方から見た斜視図である。
【図５】本発明によるアプリケータの第５実施形態を示した図である。
【発明を実施するための形態】
【００１７】
図についての説明
第１実施形態
図１は、本発明による化粧品アプリケータ１の第１実施形態を示すが、この化粧品アプリケータは眉毛処理をそもそもの目的とするが、場合によっては、髭の手入れまたは頭髪の手入れのためにも採用することができる。
【００１８】
この図からは、アプリケータ機構２と、アプリケータ機構２が中に移行する柄３とが十分に認識できる。
【００１９】
柄３は、好ましくは直線状で縦軸Ｌを有する。アプリケータ機構２とは逆側で、柄３は、この図では不図示のハンドル中に移行する。
【００２０】
アプリケータ機構２は、柄３と一体的に連結されていることができ、この柄と共に同時に射出される。
【００２１】
しかし、この図では不図示の結合部を設けることも可能である。その場合、アプリケータ機構は柄継手を有し、これが結合部中に移行し、この結合部を用いて、残った柄３中で、アプリケータ機構２は、好ましくは、押し込みおよびラッチ留めにより固定される。
【００２２】
顕著であるのは、アプリケータ機構２が、柄または柄継手中に移行する領域から始まって、半径方向で外側に広がる点である。
【００２３】
図１に記された実施形態では、この広がりは、特に特徴的である。円形の柄ないし柄継手は半径方向で広がり、そこから４つの平坦な側壁４が出る。これらの側壁は、末端で、ひし形形状である自由端正面５を縁取りする。このようにして、これらの自由末端正面は様々な頂点を有し、すなわち、鈍角で交差する２つの側壁により形成される２つの幅広の頂点と、鋭角で交差する２つの側壁により形成される２つの狭い頂点とを有する。
【００２４】
これらの自由端正面の縁は仮想平面Ｅを広げるが、これは、図１中に点線で図示した通りである。この仮想平面Ｅは、柄または柄継手の縦軸Ｌに対して、好ましくは４０°〜７０°の鋭角Ｗで傾斜して延在している。
【００２５】
末端正面５は、化粧品アプリケータの実際の塗布面を形成する。その中央領域６は、フロック加工部を担持し、アプリケータ機構２の末端自由端に向かって外側に向かって凸型に湾曲する。このようにして、フロック加工された中央領域６は、好ましくはクッション形状の幾何学形状を形成する。
【００２６】
フロック加工部を担持する中央領域６が、その全ての４つの辺で、それぞれブラシ毛列７により縁取られていることも十分認識できる。
【００２７】
この場合に特に好都合であるのは、ブラシ毛８が全て同じ長さである場合であると明らかになった。その長さは、好ましくは少なくとも１．５ｍｍないし少なくとも１．２５ｍｍの間である。
【００２８】
ブラシ毛８は、好ましくは円形の断面を有する。この場合、ブラシ毛は、ブラシ毛根元から始まって自由ブラシ毛端に向かって円錐状で、通常継続的に先細りする。ブラシ毛根元とは、この場合、ブラシ毛が角を丸めてアプリケータ機構２中に移行する箇所の直ぐ上方にある領域を称する。したがって、ブラシ毛根元とは、妨げられない初めてのブラシ毛の領域である。
【００２９】
ブラシ毛８は、好ましくはアプリケータ機構２と共に一体的に射出されている。この射出成形により、ブラシ毛８は、その特別な分子構造を得るが、これによりブラシ毛に対して非常に良好な湾曲復元挙動が付与される。この理由は、ブラシ毛を成形する組成物を、ブラシ毛を成形する狭いチャンネル中に流し込むことにより、ブラシ毛を形成するプラスチック分子が、ブラシ毛の縦軸の方向で伸張し方向付けられるからである。この構造は、巨視的観察で認識することができる。
【００３０】
この場合、ブラシ毛の直径は、好ましくは３／１００ｍｍ〜５／１００ｍｍの間である。直接隣接する２つのブラシ毛間の距離は、この場合、好ましくは少なくともブラシ毛根元領域中の各ブラシ毛直径の１．５倍である。ブラシ毛直径が、妨げられないブラシ毛根元領域中で、すなわち、ブラシ毛がブラシ毛担体中に移行しうる角が丸められた部分に直ぐに続く領域中では、直径が０．２ｍｍ〜１ｍｍでありえることが一般的に肝要である。
【００３１】
アプリケータ機構２のこの特別に造形された自由正面端部の利点は、すでに上述したように、この自由正面が異なる頂点を有するという点である。回転位置によりアプリケータ機構がどのように保持されるかに応じて、面としての塗布および面としての櫛梳き、または、点状の塗布および点状の櫛梳きが良好に達成されうる。このようにして、合理的に作業がなされうると同時に、アプリケータが少し回転すると、非常に選択的な塗布を作ることができる。このアプリケータタイプの特別な点は、改めて非常にしばしば浸して、また継ぎ足すことなく、フロック加工された中央領域６を用いて、非常に効果的に化粧品組成物を塗布および分布させることができるという点である。このようにして、眉毛に良好に化粧品組成物をつけることができる。
【００３２】
中央領域をフロック加工部で縁取りしたブラシ毛８では、化粧品塗布時に眉毛を非常に精確に櫛で梳くことができる。理論的には、中央領域の各側を複数のブラシ毛列で縁取りすることが考えられうる。
【００３３】
特に好都合であるのは、フロック加工部を担持する中央領域６が、周囲を一列のみのブラシ毛列７で縁取られる場合である。
【００３４】
この際、ブラシ毛が、それぞれ末端正面５の縁に直に沿って、列になって連続して立てられている場合に好適である。このブラシ毛の輪郭は、アプリケータ機構２の縁の輪郭に従っている。
【００３５】
これも同様に十分認識できるのは、ブラシ毛の縦軸が、アプリケータの縦軸Ｌに対して好適には平行にまたは少なくとも実質的に平行に延在するという点である。これは、新しい状態のブラシ毛は、全て実質的に平行に延在することを意味する。
【００３６】
フロック加工された中央領域６が、ブラシ毛８よりも柔らかいプラスチックからなる場合に、特に好都合であると明らかになった。これは、後の時点でフロック加工部が設けられるアプリケータ機構の領域が、そもそもブラシ毛よりも柔らかいプラスチックからなる、すなわち、フロック加工部のために柔軟性のある基礎を形成することを意味する。
【００３７】
別の応用例では、硬さの選択を逆にすることが有意義でありえる。この場合、ブラシ毛は、フロック加工された領域の基礎を形成する、すなわち、フロック加工部が上に載せられたプラスチックよりも柔らかい。
【００３８】
ここで、アプリケータ機構６の中央領域を、これを縁取りするブラシ毛列７と共に担持する末端を上述のように面取りすることによっても塗布における多様性を良好に達成しうる。
【００３９】
第２実施形態
図２は、本発明によるアプリケータの別の実施形態を示す図である。
【００４０】
上述の実施形態で述べた内容、とりわけブラシ毛（サイズ、製造、間隔など）に関する点は、この場合も同様に該当し、したがってここで再度繰り返すことはしない。
【００４１】
この実施形態では、アプリケータ機構２が、棒状の幾何学形状を有し、柄３の縦軸Ｌと位置合わせされて、これに続いている縦軸Ｌを備えている点が際立っている。
【００４２】
アプリケータ機構２は、この場合、基本的に実質的に円筒状または楕円状の断面を備えた棒状の幾何学形状を有する。アプリケータ機構２の棒状の幾何学形状は、好ましくは周辺側で平らにされた幾何学形状を有する。棒状のアプリケータ機構は、その抹消端で好ましくは部分球冠ないし半球球冠１２を形成する。
【００４３】
フロック加工部を備えた中央領域は、この場合、棒状のアプリケータ機構の周囲ないし周囲面に形成されている。この中央領域は、棒状のアプリケータ機構を、好ましくは１８０°以下の外周角で取り囲む。
【００４４】
この場合、好ましくは、棒状のアプリケータ機構２は、図からわかるように、アプリケータ機構の中央領域６の枠となる実質的に平坦な縁を有するように造形されている。柄への移行部では、アプリケータ機構の近位縁１０は、絶対的に必須ではないが、好ましくは湾曲したＵ字型の幾何学形状を有する。この点については代替となる図２ａに示した実施形態参照。アプリケータ機構２の縁は、自由末端で終わることができ、またはこの場合、Ｕ字型の幾何学形状を備えた末端縁１１が存在し、この幾何学形状が、縦軸Ｌに対して平行の方向で延在する両縁９を互いに連結する。縁９、１１は、この場合少なくとも２つの側で、好適には第３の側でも、すなわちアプリケータ機構２の末端においても、列になって連続して立てられた一列のブラシ毛８で縁が付けられている。ブラシ毛８は、全て同じ長さであるか、または、好適には、ブラシ毛の長さは、アプリケータ機構２の末端に向かって、継続的に２５％までだけ減少する。
【００４５】
この場合、アプリケータ機構の中央領域６は、半径方向で外側に向かって凸型に湾曲している。これにより、アプリケータ機構の中央領域６は、この場合も、ある種のクッションを形成している。
【００４６】
この実施形態においても、好ましくは、アプリケータ機構の中央領域は、ブラシ毛を形成するプラスチックより柔らかいプラスチックからなる。より柔らかいこのプラスチックには、その後フロック加工部が設けられている。
【００４７】
全体として、棒状のアプリケータ機構２には好ましくは湾曲した縦軸が設けられていて、それによりバナナ形状の幾何学形状を形成している。
【００４８】
あるいは、アプリケータ機構２は直線状でもありえる。
【００４９】
好ましくはこの場合も、中央領域６すなわちそのフロック加工部が、そこに蓄えられている化粧品組成物を塗布するために処理されるべき部分（通常、眉毛）と接触する場合に、嫌な「刺すような」効果を生じさせないように、ブラシ毛は柔らかく造形されている。
【００５０】
特に好都合であるのは、この中央領域６が、縦軸Ｌの方向で見て、アプリケータ機構２の凸型周辺面に形成されている場合である。この際好都合であるのは、アプリケータ機構２が、その末端自由端に向かって先細りする、すなわちより狭くなる場合である。
【００５１】
特に好都合であるのは、中央領域が、半径方向で柄または柄継手に対してへこんでいる場合である。これは、フロック加工部が、縦軸に沿った方向で続いている柄または柄部分の周囲表面と比較して、より小さい半径にあることを意味する。このようにして、フロック加工部を備えた中央領域は、穏やかに掻き落とされるのみで、かつ縁取りするブラシ毛８も、掻き落とし器を通過する際に過剰に激しく横倒しされることはなく、これにより、可能な限り損傷を受けない。
【００５２】
第３実施形態
図３は、本発明によるアプリケータのさらなる実施形態を示すが、これは、図２による実施形態の変形例である。
【００５３】
これゆえに、図２による実施形態について述べた内容は、ブラシ毛での縁付けに関する後続の説明から何か異なる点が明らかではない限り、このさらなる実施形態についても完全に相当する。
【００５４】
図からわかるように、この実施形態では、縁取りするブラシ毛は、アプリケータ機構の中央領域６を、湾曲した縦軸Ｌに沿った方向で測定すると、２つの側でのみ、かつ中央領域の長さの約４０％〜６０％のみに渡って縁取りするように実施されている。
【００５５】
この場合の利点は、塗布されるべき化粧品組成物を蓄えたフロック加工部を備えた中央領域６の一部分が、ブラシ毛で全く縁取られていないという点である。この領域により、大量の化粧品を塗布することができ、この際にブラシ毛とはいかなる形でも接触しない。
【００５６】
これに続く工程では、アプリケータ機構２の末端側のブラシ毛で縁取られた領域が、櫛梳きのために使用されうる。
【００５７】
これにより、本発明によるアプリケータの多様性がさらに高まる。
【００５８】
さらに顕著であるのは、ブラシ毛での縁付けが、長さが末端からハンドルの方を向く領域に向かって継続的に減少するブラシ毛からなる点である。好ましくはブラシ毛の長さの減少は顕著である。ブラシ毛の長さの減少は、６０％を上回る。一般化すると、ブラシ毛の長さは、好適には妨げられないブラシ毛根元における直径の１５倍〜２倍の範囲であるべきであることを注記すべきである。
【００５９】
さらに注記すべきであろう点は、図３中に図示するように、アプリケータ機構の中央領域６が、２つの周辺側でのみブラシ毛列により縁取られることは必須ではないとの点である。これに代えて、末端縁１１にもブラシ毛で縁が付けられていることができるが、この点は、ここでは図示していない。
【００６０】
第４実施形態
本発明によるアプリケータのさらなる実施形態を図４中に図示する。
【００６１】
この実施形態についても、後続の説明から何か異なる点が明らかではない限り、上述の実施形態に関して述べた内容が同様に該当する。
【００６２】
この自由末端正面５の縁９は仮想平面Ｅを広げるが、これは図４中点線で図示しているとおりである。仮想平面Ｅは、柄または柄継手の縦軸Ｌに対して、好ましくは３０°〜７０°、理想的には４０°〜７０°の鋭角Ｗで傾斜して延在している。
【００６３】
末端正面５は、化粧品アプリケータの実際の塗布面を形成する。フロック加工部を担持するその中央領域６は、ここで実行され、好適にはアプリケータ機構２の末端自由端に向かって、外側に向かって凸型に湾曲している。このようにして、フロック加工された中央領域６は、好ましくはクッション形状の幾何学形状を形成する。
【００６４】
これも同様に十分認識できるのは、フロック加工部を担持する中央領域６は、周囲をそれぞれ１つのブラシ毛列７により縁取られているという点である。このブラシ毛列は、上で第１実施形態について説明したように造形されていることができる。
【００６５】
この実施形態では、アプリケータ機構２の端部を形成する自由末端正面は、本発明による方法で形成されている。
【００６６】
すなわち、この自由末端正面は、この場合アプリケータ機構２の中央領域６を形成する。
【００６７】
第５実施形態
図５は、本発明の第５実施形態を示す。この実施形態についても、後続の説明から何か異なる点が明らかにならない限りは、上述の実施形態について述べた内容が同様に該当する。とりわけ第２実施形態について述べた内容が同様に該当するが、この理由は、第５実施形態は第２実施形態にほぼ相当するからである。図５による実施形態では、湾曲することは必須ではなく、図２および２ａによる実施形態も同様であるが、直線の縦軸Ｌを有することもできる。
【００６８】
差異は、第５実施形態では、とりわけ、中央領域６を縁取りする１つの長手側がブラシ毛での縁付けを担持しない点にある。したがって、１つの長手側に沿ってのみ、好ましくは一列のブラシ毛での縁付けが設けられている。このブラシ毛での縁付けは、自由末端の領域（この領域は、ここで好ましくはＵ字型の輪郭を有し、双方の長手側を連結し合う）まで伸張しうる。しかし、好ましくは、ブラシ毛での縁付けは、ブラシ毛で縁が付けられた長手側が上述の連結領域中に移行する箇所で終了する。
【００６９】
特に好都合であるのは、長手側で縁を付ける全てのブラシ毛の長さが等しい、または好ましくは実質的に等しい場合である。理想的には、各ブラシ毛の縦軸が、アプリケータ縦軸Ｌの局所的な輪郭に対して垂直で、同じ高さで方向付けられている。この点は、図２および図２ａによる実施形態についても該当する。
【００７０】
一般的な所見
上で述べた内容に係らず、または、これまでの主請求項中で確認されたことに関わらず、以下の保護も請求する。
【００７１】
柄（３）を介してハンドルと連結されているアプリケータ機構（２）からなるアプリケータ（１）を備え、貯蔵化粧品を収容する化粧品貯蔵容器を備え、かつ、掻き落とし器を備えた化粧品ユニットであって、アプリケータ機構（２）は、その準備位置では化粧品貯蔵部中に浸され、その際、アプリケータ（１）のハンドルが化粧品貯蔵容器を密閉閉鎖するように、このハンドルは化粧品貯蔵容器上に保持され、かつ、アプリケータ機構（２）が掻き落とし器を通って化粧品貯蔵容器から引き出されることにより、アプリケータ（１）は、その使用位置に運ばれることができる、化粧品ユニットにおいて、アプリケータ機構（２）は、フロック加工部を担持する中央領域（６）を有し、中央領域（６）は少なくとも部分的に少なくとも１つのブラシ毛列（７）により縁取られていることを特徴とする化粧品ユニットである。
【００７２】
先行する段落に記載の化粧品ユニットでは、フロック加工部を備えた中央領域（６）は、その４つの縁の少なくとも３つで、少なくとも１つのブラシ毛列（７）により、好ましくは完全に縁取られている点が際立っている。
【００７３】
先行する段落に記載の化粧品ユニットでは、少なくとも１つのブラシ毛列（７）は、Ｕ字型またはＶ字型の幾何学形状を有し、ブラシ毛（８）は、好ましくはＵまたはＶの自由端に向かって、継続的により短くなるように造形されている点が際立っている。
【００７４】
先行する段落に記載の化粧品ユニットでは、フロック加工部を担持する中央領域（６）は、４つ全ての縁で、少なくとも１つのブラシ毛列（７）により縁取られている点が際立っている。
【００７５】
先行する段落に記載の化粧品ユニットでは、フロック加工部を担持する中央領域（６）は、外側に向かって凸型に膨らんでいる点が際立っている。
【００７６】
先行する段落に記載の化粧品ユニットでは、アプリケータ機構（２）は棒状の幾何学形状を有する点が際立っている。
【００７７】
先行する段落に記載の化粧品ユニットでは、アプリケータ機構（２）の縦軸（Ｌ）は、柄（３）の縦軸（Ｌ）と位置合わせされて、隣接し、かつ湾曲している点が際立っている。
【００７８】
先行する段落に記載の化粧品ユニットでは、フロック加工部を担持する中央領域（６）は、アプリケータ機構（２）の周囲に取り付けられていて、かつ、アプリケータ機構（２）を好ましくは１８０°未満の周囲角度に渡って取り囲む点が際立っている。
【００７９】
先行する段落に記載の化粧品ユニットでは、アプリケータ機構（２）は、１つの側面で平らにされていて、そこでフロック加工部を担持する中央領域（６）を形成し、かつ、縁取りするブラシ毛（８）を担持する一方、中央領域（６）とは逆側の、アプリケータ機構（２）の背部は、周囲方向で凸型に形成されている点が際立っている。
【００８０】
先行する段落に記載の化粧品ユニットでは、アプリケータ機構（２）は、その末端で半球冠（１２）好ましくは半球球冠を形成し、この半球冠好ましくは半球球冠は、平らにされた中央領域（６）に隣接し、かつアプリケータ機構（２）の末端を形成する点が際立っている。
【００８１】
先行する段落に記載の化粧品ユニットでは、アプリケータ機構（２）は、柄（３）から始まって外側に広がり、その結果、柄（３）よりも直径が大きい点が際立っている。
【００８２】
先行する段落に記載の化粧品ユニットでは、アプリケータ機構（２）はその末端で自由端正面（５）を有し、この自由端正面は中央領域（６）を形成し、この中央領域（６）は、フロック加工部を担持し、かつその縁では、中央領域（６）を縁取る少なくとも１つのブラシ毛列（７）を担持する点が際立っている。
【００８３】
先行する段落に記載の化粧品ユニットでは、この自由端正面（５）は、その縁で、アプリケータの縦軸（Ｌ）に対して傾斜して方向付けられている仮想平面（Ｅ）を広げ、好ましくは、この平面（Ｅ）がアプリケータの縦軸（Ｌ）に対してとる鋭角（Ｗ）が、４０°〜６０°である点が際立っている。
【００８４】
先行する段落に記載の化粧品ユニットでは、ブラシ毛（８）の直径は０．０１ｍｍ〜０．５ｍｍである点が際立っている。
【００８５】
先行する段落に記載の化粧品ユニットでは、ブラシ毛（８）は、一体的にかつ好ましくは同じ材料で、アプリケータ機構（２）に射出されている点が際立っている。
【００８６】
先行する段落に記載の化粧品ユニットでは、ブラシ毛（８）は、ブラシ毛根元から自由ブラシ毛端に向かって、好ましくは円錐形状で先細りする点が際立っている。
【００８７】
先行する段落に記載の化粧品ユニットでは、ブラシ毛（８）の長さは大抵１．５ｍｍを上回る点が際立っている。
【００８８】
先行する段落に記載の化粧品ユニットでは、直接隣接するブラシ毛（８）同士は、その（妨げられない）ブラシ毛根元の領域中で、ブラシ毛根元の直径の１．５倍を上回る距離で互いから離れている点が際立っている。
【００８９】
先行する段落のいずれか１つに記載の化粧品ユニット中で使用するための、柄（３）を介してハンドルと連結可能であるアプリケータ機構（２）を備えた化粧品アプリケータ（１）において、アプリケータ機構（２）はフロック加工部を担持する中央領域（６）を有し、かつ、この中央領域（６）は少なくとも部分的に少なくとも１つのブラシ毛列（７）により縁取られている点を特徴とする。
【００９０】
直前の段落に記載の化粧品アプリケータ（１）は、請求項２〜１８のいずれか１項に記載のアプリケータ（１）に関するさらなる特徴を有する点が際立っている。
【００９１】
直前の段落に記載の化粧品アプリケータ（１）は、化粧品を眉毛に塗布するために採用される点が際立っている。
【符号の説明】
【００９２】
１  化粧品アプリケータ／アプリケータ
２  アプリケータ機構
３  柄
４  平坦な側壁
５  末端正面
６  中央領域
７  ブラシ毛列
８  ブラシ毛
９  アプリケータ機構の平坦な縁
１０  近位縁
１１  末端縁
１２  半球冠ないし半球球冠
Ｌ  柄ないしアプリケータ機構の縦軸
Ｗ  鋭角
Ｅ  仮想平面
【図１】
2019519314.tif 000003
【図２】
2019519314.tif 000004
【図２ａ】
2019519314.tif 000005
【図３】
2019519314.tif 000006
【図４】
2019519314.tif 000007
【図５】
2019519314.tif 000008
【国際調査報告】
2019519314.tif 000009
2019519314.tif 000010
2019519314.tif 000011
2019519314.tif 000012
2019519314.tif 000013
2019519314.tif 000014